(57)【要約】【課題】この発明は、顔に影が生じることがなく細部に至るまで注意しながら化粧を行うことができる照明装置付鏡、及び、ドレッサーに関する。【解決手段】本発明の実施形態に係るドレッサー１は、水平な作業台２とその前に座る使用者を映写可能な鏡３とを具備するものである。そして、このドレッサー１は、前記鏡３の背部における当該鏡３の幅方向の両端側にそれぞれ高さ方向に設けられた収容部４と、該収容部４の下端部にそれぞれ設けられて上方に向けて光を照射する内部光源５と、前記鏡３に設けられて前記内部光源５から照射された光を前記収容部４から前記鏡３の外側へ透過可能とする複数の透過窓６と、を具備している。【選択図】図１
2010110554.tif 000002
【特許請求の範囲】
【請求項１】
使用者を映写可能な鏡と照明装置とを具備する照明装置付鏡において、
前記鏡の背部における当該鏡の幅方向の両端側にそれぞれ高さ方向に設けられた収容部と、
前記収納部の内部に設けられた内部光源と、
前記鏡の高さ方向に設けられて前記内部光源から照射された光を前記収容部の内部から前記鏡の外側へ透過可能とする透過窓と、
を具備することを特徴とする照明装置付鏡。
【請求項２】
前記鏡の背部において前記収容部のさらに当該鏡の幅方向の両外側に背部光源が設けられることを特徴とする請求項１記載の照明装置付鏡。
【請求項３】
請求項１又は２記載の照明装置付鏡と水平な作業台とを具備することを特徴とするドレッサー。
【請求項４】
前記作業台の天板が光を反射可能な反射部材から形成されて成ることを特徴とする請求項３記載のドレッサー。
【請求項５】
前記作業台には施錠可能な引出しが設けられると共に、
当該引出しが設けられた箇所における前記作業台の天板には、該引出し内部の収納物を視認可能な窓部が設けられることを特徴とする請求項３又は４記載のドレッサー。
【請求項６】
前記作業台には、引出しが設けられると共に、
該引出しには、少なくともその手前側の半分以上を占有する物品収納部と、
該物品収納部の奥側に設けられた貴重品収納部と、
を具備することを特徴とする請求項３乃至５記載のドレッサー。
【発明の詳細な説明】
【技術分野】
【０００１】
この発明は、顔に影が生じることがなく細部に至るまで注意しながら化粧を行うことができる照明装置付鏡、及び、ドレッサーに関する。
【背景技術】
【０００２】
従来、女性が化粧を行う際には居室の照明下において鏡の前で行っていた。しかし、居室の照明下で化粧を行う際には、化粧をする本人が当該照明の光を遮ってしまい、鏡に映る顔全体に光が届かず影が生じるため、細部に至るまで注意しながら化粧を行うことが困難であった。そのため、鏡の幅方向の両外側においてその高さ方向に照明装置が設けられたドレッサーが考案されている（例えば、特許文献１）。
【０００３】
【特許文献１】特開平０８−１１７０３７号公報
【発明の開示】
【発明が解決しようとする課題】
【０００４】
しかし、前述のドレッサーにおいては、鏡から高さ方向に一様な光で化粧をする本人を照らすので、室内の照明を同時に併用することで化粧をする本人の鼻の下等に影が生じる可能性があった。
【０００５】
この発明は上記のような種々の課題を解決することを目的としてなされたものであって、顔に影が生じることがなく細部に至るまで注意しながら化粧を行うことができる照明装置付鏡、及び、ドレッサーを提供するものである。
【課題を解決するための手段】
【０００６】
上記目的を達成するために、請求項１記載の照明装置付鏡は、使用者を映写可能な鏡と照明装置とを具備する照明装置付鏡において、前記鏡の背部における当該鏡の幅方向の両端側にそれぞれ高さ方向に設けられた収容部と、前記収納部の内部に設けられた内部光源と、前記鏡の高さ方向に設けられて前記内部光源から照射された光を前記収容部の内部から前記鏡の外側へ透過可能とする透過窓と、を具備することを特徴としている。
【０００７】
請求項２記載の照明装置付鏡は、前記鏡の背部において前記収容部のさらに当該鏡の幅方向の両外側に背部光源が設けられることを特徴としている。
【０００８】
請求項３記載のドレッサーは、請求項１又は２記載の照明装置付鏡と水平な作業台とを具備している。
【０００９】
請求項４記載のドレッサーは、前記作業台の天板が光を反射可能な反射部材から形成されて成ることを特徴としている。
【００１０】
請求項５記載のドレッサーは、前記作業台には施錠可能な引出しが設けられると共に、当該引出しが設けられた箇所における前記作業台の天板には、該引出し内部の収納物を視認可能な窓部が設けられることを特徴としている。
【００１１】
請求項６記載のドレッサーは、前記作業台には、引出しが設けられると共に、該引出しには、少なくともその手前側の半分以上を占有する物品収納部と、該物品収納部の奥側に設けられた貴重品収納部と、を具備することを特徴としている。
【発明の効果】
【００１２】
請求項１記載の照明装置付鏡によれば、前記鏡の背部における当該鏡の幅方向の両端側にそれぞれ高さ方向に設けられた収容部と、前記収納部の内部に設けられた内部光源と、前記鏡の高さ方向に設けられて前記内部光源から照射された光を前記収容部の内部から前記鏡の外側へ透過可能とする透過窓と、を具備している。これにより、透過窓の下方から上方にかけて当該照射窓から照射される光の量を変化させることもでき、使用者の顔の全体を照らしつつも、当該顔の下方からより強い光で該顔を照らすこともできるので、顔全体に影を作ることなく全体的に均一に該顔を照射することができる。従って、使用者は細部に至るまで注意しながら化粧を行うことができる。さらに、前述のように透過窓の下方から上方にかけて当該照射窓から照射される光の量を変化させることもできるので、内部照明を点灯させた際の照明装置付鏡の意匠性を向上させることができる。
【００１３】
請求項２記載の照明装置付鏡によれば、前記鏡の背部において前記収容部のさらに当該鏡の幅方向の両外側に背部光源が設けられている。これにより、背部光源を鏡の背部からの間接照明とすることができ、照明装置付鏡の周囲をより明るくすることができると共に、使用者の目に直接光が届くことがないので化粧をする際の妨げになることがない。
【００１４】
請求項３記載のドレッサーによれば、請求項１又は２記載の照明装置付鏡と水平な作業台とを具備しているので、作業台にファンデーションやマスカラ等の化粧道具を載置しながら化粧を行うことができる。
【００１５】
請求項４記載のドレッサーによれば、前記作業台の天板が光を反射可能な反射部材から形成されて成るので、居室の照明、内部光源による照明、背部光源による照明等の照明の光が反射部材で反射することにより、使用者を下方から照らすことができるので、当該使用者の鼻の下等に影が生じることなく、当該使用者の顔を均一に照らすことができる。
【００１６】
請求項５記載のドレッサーによれば、前記作業台には施錠可能な引出しが設けられると共に、当該引出しが設けられた箇所における前記作業台の天板には、該引出し内部の収納物を視認可能な窓部が設けられている。これにより、この引出しにアクセサリー等を収納しておくことで、窓部から複数のアクセサリーを同時に視認することができるので、その日の化粧にあったアクセサリーを容易に選択することができる。また、この引出しは施錠可能であるので、前述のようにアクセサリーを収納していても防犯上も安心である。
【００１７】
請求項６記載のドレッサーによれば、前記作業台には、引出しが設けられると共に、該引出しには、少なくともその手前側の半分以上を占有する物品収納部と、該物品収納部の奥側に設けられた貴重品収納部と、を具備している。そのため、引出しを多少引出しただけでは、貴重品収納部が出現しないので、防犯上も安心である。そして、その際には、例えば物品収納部にはティッシュペーパー等を入れておくことができ、さらに、貴重品収納部には引出しの鍵等を好適に入れておくことができる。
【発明を実施するための最良の形態】
【００１８】
この発明におけるドレッサーの最良の実施形態について、以下に説明する。本発明の実施形態に係るドレッサー１は、図１乃至４に示すように、水平な作業台２とその前に座る使用者を映写可能な鏡３を有する照明装置付鏡Ａとから成るものである。そして、この照明装置付鏡Ａは、前記鏡３の背部における当該鏡３の幅方向の両端側にそれぞれ高さ方向に設けられた収容部４と、該収容部４の内部に設けられた内部光源５と、前記鏡３の高さ方向に設けられて前記内部光源５から照射された光を前記収容部４の内部から前記鏡３の外側へ透過可能とする透過窓６と、を具備している。
【００１９】
前記作業台２は、図１、図２に示すように水平に設けられた台であり、使用者が化粧をする際にファンデーションやマスカラ等の化粧道具を載置することができる。この作業台２には、前述のような化粧道具をはじめヘアブラシやアクセサリー等の種々の物品を収納することができるように複数の引出し７が設けられている。また、作業台２の前には使用者が座るための椅子Ｃが適宜設置されている。
【００２０】
そして、作業台２に設けられた引出し７ａには、図１、図２に示すように、施錠部８が設けられており、施錠することができるようになっている。そのため、使用者は、図７（ａ）に示すように、引出し７ａ内部にネックレスや指輪等のアクセサリー１０を収納しておけば防犯上も安心である。また、引出し７ａが設けられた箇所における前記作業台２の天板２ａは、アクリルやガラス等の透明な材料から形成されて成る窓部９が設けられている。そのため、窓部９から複数のアクセサリー１０を同時に視認することができるので、その日の化粧にあったアクセサリー１０を容易に選択することができる。そして、前述のように引出し７ａ内に収納されたアクセサリー１０を取出す際には、図７（ｂ）に示すように、当該引出し７ａを引出せばよい。また、引出し７ａ内部に照明装置等を設けておけば、アクセサリー１０をライトアップすることもできる。
【００２１】
さらに、作業台２に設けられた引出し７ｂは、図１、図２、図８に示すように、少なくともその手前側の半分以上を占有する物品収納部１１と、該物品収納部１１の奥側に設けられた貴重品収納部１２とを具備している。そして、例えば図８（ａ）に示すように、引出し７ｂの手前側の物品収納部１１に箱型のティッシュペーパー１３を収納しておき、当該物品収納部１１の奥側に設けられた貴重品収納部１２には、引出し７ａの施錠部８の鍵１４を収納する等しておけば、当該鍵１４を紛失するおそれがない。さらに、図８（ｂ）に示すように、引出し７ｂを半分以上引き出した際にも、鍵１４を収納した貴重品収納部１２は出現しないため、防犯上も安心である。
【００２２】
また、作業台２の天板２ａが、図１に示すように、アルミ蒸着された合成樹脂等の光を反射可能な反射部材１５から形成されて成ることが好ましく、これにより、透過窓６等から照射される光を当該天板２ａで上方に反射することができ、使用者の顔を下方から照らして当該顔に影を作ることなく均一に照らすことができる。
【００２３】
前記鏡３は、その前に座る使用者を映写可能であり、少なくとも当該使用者の上半身を映写可能な程度の大きさのものが好ましい。ここで、ドレッサー１は、図１に示すように、当該照明装置付鏡Ａを壁体１６にネジ等の周知の方法で取付け、その下方に作業台２を設置して、該照明装置付鏡Ａと該作業台２とを分離してもよく、また、該ドレッサー１は、図２に示すように、照明装置付鏡Ａと作業台２とを一体化させたものであってもよい。
【００２４】
前記収容部４は、図１、図３、図４等に示すように、鏡３の背部における当該鏡３の幅方向の両端側にそれぞれ高さ方向に設けられている。この収容部４は、本実施形態においては、図３、図４に示すように、鏡３の高さ方向に亘って四角柱状に設けられているが、これに限定されず円柱形等であってもよい。そして、収容部４の内側面４ａは、図４に示すように、内部光源５からの光を反射して効率的に透過窓６から鏡３の外側へ光を照射することができるように、反射部材１７が設けられている。
【００２５】
前記内部光源５は、図３、図４に示すように、収容部４の下端部にそれぞれ設けられて上方に向けて光を照射するものである。この内部光源５としては、例えば、白熱球や、電球型蛍光灯、ＬＥＤ等から適宜選択して使用することができ、その色も白色、暖色の何れであってもよい。そして、内部光源５は収容部４の下端面４ｂに設けられたソケットＳ１に電気的に接続され、図外のスイッチにてＯＮ、ＯＦＦが可能となっている。
【００２６】
また、内部光源５は、前述以外にも、図５、図６に示すように、鏡３に設けられた透過窓６の背部における収容部４の内部のソケットＳ１に電気的に接続されるようにそれぞれ設けられていてもよい。これにより、各内部光源５のそれぞれを個別に点灯させることができるので、居室の照度に応じて適宜点灯させる当該内部光源５を選択することができる。
【００２７】
前記透過窓６は、図１、図３、図４等に示すように、鏡３に設けられて内部光源５から照射された光を収容部４の内部から鏡３の外側へ透過可能とするものである。この透過窓６は、本実施形態においては、図３に示すように、正方形状に形成されると共に、その背部に収容部４が設けられた場所において、鏡３の高さ方向にそれぞれ８個ずつ設けられているが、当該透過窓６の形状や数等は本実施形態のものに限定されず、１つの透過窓６が該鏡３の高さ方向に亘って設けられていてもよい。そして、透過窓６は、本実施形態においては、鏡３において当該透過窓６が設けられる箇所の鏡面を周知の化学的処理を施す等して取除いて形成されているが、当該透過窓６の形成方法はこれに限定されず、鏡３をくりぬいてから乳白色のカバーを取付ける等して形成してもよく、また、ハーフミラーであってもよい。
【００２８】
そのため、図３、図４に示すように、内部光源５を収容部４の下端部に設けた場合には、当該内部光源５を点灯させた際には、その光は収容部４の内側面４ａに設けられた反射部材１７を反射しながら下方から上方に向かって進むと共に、その途中で光の一部が透過窓６から鏡３の外側に照射される。これにより、透過窓６の下方から上方にかけて当該透過窓６から照射される光の量が小さくなるので、使用者の顔を下方から照らすことができ当該顔に影を作ることがないと共に、意匠性も向上させることができる。そして、図５、図６に示すように、内部光源５を各透過窓６の背部にそれぞれ設けた場合にも、当該内部光源５から照射される光を効率的に鏡３の外側へ照射することができる。
【００２９】
前記背部光源１８は、鏡３の背部において収容部４のさらに当該鏡３の幅方向の両外側に設けられている。この背部光源１８は、本実施形態においては、図３に示すように、長尺の蛍光灯を好適に使用することができる。そして、鏡３の高さ方向に亘って当該背部光源１８が設けられており、暖色や白色のものを適宜選択して使用することができる。また、背部光源１８としては、長尺の蛍光灯の他に白熱球や電球型蛍光灯、ＬＥＤ等を鏡３の高さ方向に複数設けてもよいのは勿論である。そして、背部光源１８は収容部４の外側面４ｃから外側方向に突出するように設けられたソケットＳ２に電気的に接続され、図外のスイッチにてＯＮ、ＯＦＦが可能となっている。
【００３０】
また、背部光源１８から照射される光を有効に使用するために、収容部４の外側面４ｃ、及び当該背部光源１８が設けられる箇所の鏡３の裏面１９には鏡面加工が施されている。これ以外にも、収容部４の外側面４ｃ、及び背部光源１８が設けられる箇所の鏡３の裏面１９に反射板（不図示）を設ける等してもよい。このように、背部光源１８は鏡３の背部からの間接照明とすることができ、ドレッサー１の周囲をより明るくすることができると共に、使用者の目に直接光が届くことがないので化粧をする際の妨げになることがない。また、本実施形態においては、背部光源１８としての蛍光灯が露出するように設けられているが、当該は背部光源１８を覆うように周知の乳白色のカバー等を取付けてもよい。
【００３１】
そして、内部光源５と背部光源１８のスイッチはそれぞれ独立して設けられているので、これらのいずれか一方側だけを点灯させることができ、また、両方を同時に点灯させることもできる。
【００３２】
以上のような、照明装置付鏡Ａ、及びドレッサー１は一例であり、本実施形態で示したもの以外の周知の構成を必要に応じて付加することができ、また、鏡３が開閉自在となっており、その背面に収納スペースを形成する等してもよい。本発明のドレッサー１を使用することにより、顔に影が生じることがなく細部に至るまで注意しながら化粧を行うことができる。
【産業上の利用可能性】
【００３３】
本発明に係るドレッサー１は、住宅内だけでなく、ホテルや商業施設等にも設置することができる。
【図面の簡単な説明】
【００３４】
【図１】本実施形態に係るドレッサーの全体斜視図
【図２】他の実施形態に係るドレッサーの全体斜視図
【図３】本実施形態に係る照明装置付鏡の正面図
【図４】本実施形態に係る照明装置付鏡の断面図
【図５】他の本実施形態に係る照明装置付鏡の正面図
【図６】他の本実施形態に係る照明装置付鏡の断面図
【図７】本実施形態に係る引出しの上視図
【図８】他の実施形態に係る引出しの上視図
【符号の説明】
【００３５】
１        ドレッサー
２        作業台
２ａ      天板
３        鏡
４        収容部
５        内部光源
６        透過窓
７（７ａ、７ｂ）  引出し
８        施錠部
９        窓部
１１      物品収納部
１２      貴重品収納部
１５      反射部材
１８      背部光源
Ａ        照明装置付鏡
【図１】
2010110554.tif 000003
【図２】
2010110554.tif 000004
【図３】
2010110554.tif 000005
【図４】
2010110554.tif 000006
【図５】
2010110554.tif 000007
【図６】
2010110554.tif 000008
【図７】
2010110554.tif 000009
【図８】
2010110554.tif 000010